(57)【要約】【課題】適切な搬送速度で被印刷シートにインクを転写することができる搬送装置を提供する。【解決手段】搬送中の被印刷シートを転写手段に当接させる当接手段よりも上流側の被印刷シートを手繰り寄せる手繰り寄せ手段と、被印刷シートの搬送速度を検出する搬送速度検出手段と、搬送速度検出手段が予め設定した閾値以下の速度であるときに手繰り寄せた被印刷シートを繰り出す繰出手段と、閾値以下となったときに繰出手段を駆動させる駆動制御手段と、被印刷シートの検出用マークをタイミング検出手段が検出したときに、印刷タイミング検出用マークからの搬送距離が規定された印刷開始位置を基準として、搬送速度検出手段で検出した搬送速度Ｖｆに応じて、印刷タイミング検出用マークを検出してから繰出手段の駆動を開始するまでの開始期間Ｔｉと、繰出手段を駆動させている駆動期間Ｔｏｎと、を決定する決定手段と、を備える。【選択図】図４
2018167503.tif 000002
【特許請求の範囲】
【請求項１】
インクを転写する転写手段に対して被印刷シートを搬送する搬送装置であって、
前記転写手段と対向して搬送中の前記被印刷シートを前記転写手段に当接させる当接手段と、
前記当接手段よりも上流側の前記被印刷シート及び前記当接手段よりも下流側の前記被印刷シートのうち少なくとも上流側の前記被印刷シートに対してテンションを付与しつつ手繰り寄せる手繰り寄せ手段と、
前記当接手段よりも上流側かつ前記手繰り寄せ手段よりも下流側における前記被印刷シートの搬送速度を検出する搬送速度検出手段と、
前記搬送速度検出手段が予め設定した閾値以下の速度で前記被印刷シートを搬送していることを検出したときに前記手繰り寄せ手段による手繰り寄せを解除して手繰り寄せた前記上流側の被印刷シートを繰り出す繰出手段と、
前記閾値以下となったときに前記繰出手段を駆動させる駆動制御手段と、
前記被印刷シートに予め一定間隔で付与した印刷タイミング検出用マークの位置を検出するタイミング検出手段と、
前記印刷タイミング検出用マークからの搬送距離が規定された印刷開始位置を基準として、前記搬送速度検出手段で検出した搬送速度Ｖｆに応じて、前記タイミング検出手段によって前記印刷タイミング検出用マークを検出してから前記駆動制御手段によって前記繰出手段の駆動を開始するまでの開始期間Ｔｉと、前記繰出手段を駆動させている駆動期間Ｔｏｎと、を決定する決定手段と、
を備えることを特徴とする搬送装置。
【請求項２】
請求項１記載の搬送装置において、
前記決定手段は、
前記駆動期間Ｔｏｎから前記手繰り寄せ手段によって前記被印刷シートを手繰り寄せる手繰り寄せ期間Ｔｏｆｆに至る期間中に、前記閾値以上の搬送速度で印刷シートを搬送する印刷可能期間を確保するとともに、前記印刷可能期間内に前記印刷手段の転写に伴う被印刷シートに対する搬送方向に沿う印刷期間を含むよう、前記駆動期間Ｔｏｎを決定する、
ことを特徴とする搬送装置。
【請求項３】
請求項１又は請求項２記載の搬送装置において、
前記決定手段は、
前記駆動期間Ｔｏｎを、前記手繰り寄せ手段によって前記被印刷シートを手繰り寄せる手繰り寄せ期間Ｔｏｆｆよりも短い期間に決定する、
ことを特徴とする搬送装置。
【請求項４】
請求項１乃至請求項３のいずれか１項記載の搬送装置において、
前記決定手段は、
前記繰出手段によって繰出した前記上流側の被印刷シートの搬送速度の最速ピーク位置が、前記被印刷シートに対する所定の搬送距離よりも上流側に位置するように、前記開始期間Ｔｉと前記駆動期間Ｔｏｎとを決定する、
ことを特徴とする搬送装置。
【請求項５】
請求項１乃至請求項４のいずれか１項記載の搬送装置において、
少なくとも前記繰出手段を駆動させるためのＡＣ電源の周波数を検知する電源周波数検知手段を備え、
前記決定手段は、
前記電源周波数検知手段で検知した周波数に応じて決定した前記開始期間Ｔｉと前記駆動期間Ｔｏｎとを変更する、
ことを特徴とする搬送装置。
【発明の詳細な説明】
【技術分野】
【０００１】
本発明は、インクを転写する転写手段に対して被印刷シートを搬送する搬送装置に関する。
【背景技術】
【０００２】
包装フィルム等の長尺なシートを被印刷シートとして、この被印刷シートに熱転写型のサーマルプリンタを用いて所望の印刷を連続して行うようにした印刷方式が周知である。また、このような印刷方式では、インクを転写する転写手段（例えば、サーマルヘッド）には、被印刷シートの搬送速度が所定速度を下回ってしまうと転写に不具合が発生してしまうため、最低速度を設定している。
【０００３】
しかしながら、被印刷シートが長尺であるため、何らかの不具合が発生した場合や電源を停止した際に、印刷直前の被印刷シートが無駄になったり、印刷の途中で搬送が停止してしまうといった不具合が発生していた。
【０００４】
そこで、予め転写手段よりも上流側で手繰り寄せておいた被印刷シートを繰り出して搬送速度を確保しつつ、１回分の印刷を完了させて被印刷シートの無駄を防止した手繰り寄せ機構を採用したものが知られている（例えば、特許文献１，２参照）。
【先行技術文献】
【特許文献】
【０００５】
【特許文献１】特許第５９３５０４２号公報
【特許文献２】特開２０１５−１９９２０５号公報
【発明の概要】
【発明が解決しようとする課題】
【０００６】
しかしながら、上述した手繰り寄せ機構は、単に手繰り寄せた被印刷シートを繰り出しただけでは、例えば、包装フィルムのようにアイマークを設け、一定の距離の定まった位置に印字をしなければならない場合、その位置合わせを確保することが困難であった。
【０００７】
すなわち、被印刷シートの所定の位置に印刷を実行するためには、最低速度を下回る被印刷シートの搬送速度に対して手繰り寄せ機構から繰り出す繰出し速度を考慮する必要がある。このため、任意で繰出しタイミングを設定する必要がある場合、適切な搬送速度で被印刷シートにインクを転写するためには、ユーザはアイマークと印刷実行位置とに応じたタイミングを模索しなければならず、手間を要するという問題が生じていた。
【０００８】
本発明の目的は、適切な搬送速度で被印刷シートにインクを転写することができる搬送装置を提供することである。
【課題を解決するための手段】
【０００９】
上記目的を達成するために、本願発明は、インクを転写する転写手段に対して被印刷シートを搬送する搬送装置であって、前記転写手段と対向して搬送中の前記被印刷シートを前記転写手段に当接させる当接手段と、前記当接手段よりも上流側の前記被印刷シート及び前記当接手段よりも下流側の前記被印刷シートのうち少なくとも上流側の前記被印刷シートに対してテンションを付与しつつ手繰り寄せる手繰り寄せ手段と、前記当接手段よりも上流側かつ前記手繰り寄せ手段よりも下流側における前記被印刷シートの搬送速度を検出する搬送速度検出手段と、前記搬送速度検出手段が予め設定した閾値以下の速度で前記被印刷シートを搬送していることを検出したときに前記手繰り寄せ手段による手繰り寄せを解除して手繰り寄せた前記上流側の被印刷シートを繰り出す繰出手段と、前記閾値以下となったときに前記繰出手段を駆動させる駆動制御手段（センサスイッチ等）と、前記被印刷シートに予め一定間隔で付与した印刷タイミング検出用マークの位置を検出するタイミング検出手段と、前記印刷タイミング検出用マークからの搬送距離が規定された印刷開始位置を基準として、前記搬送速度検出手段で検出した搬送速度Ｖｆに応じて、前記タイミング検出手段によって前記印刷タイミング検出用マークを検出してから前記駆動制御手段によって前記繰出手段の駆動を開始するまでの開始期間Ｔｉと、前記繰出手段を駆動させている駆動期間Ｔｏｎと、を決定する決定手段と、を備える。
【００１０】
本願発明の搬送装置においては、通常時において、当接手段よりも上流側の被印刷シート及び当接手段よりも下流側の被印刷シートのうち少なくとも上流側の被印刷シートを、手繰り寄せ手段がテンションを付与しつつ手繰り寄せている。
【００１１】
そして、当接手段よりも上流側かつ手繰り寄せ手段よりも下流側における被印刷シートの搬送速度が、予め設定した閾値以下の搬送速度となったことを搬送速度検出手段が検出すると、駆動制御手段が繰出手段を制御して、手繰り寄せ手段による手繰り寄せを解除しつつ手繰り寄せた上流側の被印刷シートを繰り出し、被印刷シートの搬送速度を早くする。
【００１２】
この際、被印刷シートに予め一定間隔で付与した印刷タイミング検出用マークの位置をタイミング検出手段が検出してから被印刷シートの搬送距離が規定された印刷開始位置を基準として、搬送速度検出手段で検出した搬送速度Ｖｆに応じて、タイミング検出手段によって印刷タイミング検出用マークを検出してから駆動制御手段によって繰出手段の駆動を開始するまでの開始期間Ｔｉと、繰出手段を駆動させている駆動期間Ｔｏｎと、を決定手段が決定する。
【００１３】
これにより、被印刷シートの搬送速度に応じた分だけ手繰り寄せた被印刷シートを繰り出して印刷タイミング検出用マークから所定の搬送距離だけ搬送した被印刷シートに対して、適切な搬送速度で被印刷シートにインクを転写することが可能となる。
【発明の効果】
【００１４】
本発明によれば、適切な搬送速度で被印刷シートにインクを転写することができる。
【図面の簡単な説明】
【００１５】
【図１】印刷システムの一例を示す説明図である。
【図２】被印刷シートの搬送装置を含む印刷装置の正面方向の説明図である。
【図３】被印刷シートの搬送装置を含む印刷装置の側面方向の説明図である。
【図４】印刷ユニットの概要を示す説明図である。
【図５】手繰り寄せ機構による作用例を示し、（Ａ）は被印刷シートを手繰り寄せている状態の説明図、（Ｂ）は被印刷シートを繰出している状態の説明図である。
【図６】印刷装置の概略の電気的構成を示すブロック図である。
【図７】ＡＣ周波数の一例を示すグラフ図である。
【図８】開始期間Ｔｉと駆動期間Ｔｏｎとを決定するタイミングの一例を示す説明図である。
【図９】開始期間Ｔｉと駆動期間Ｔｏｎとを決定するタイミングの他例を示す説明図である。
【図１０】決定手段による搬送制御ルーチンのフローチャートである。
【発明を実施するための形態】
【００１６】
以下、本発明に係る印刷装置の一実施形態について、図面を参照しつつ説明する。
【００１７】
図１に示すように、印刷装置ＰＵは、この例では、ネットワーク回線ＮＷを介して操作手段としてのパーソナルコンピュータ（所謂、ノートパソコン）などの外部機器ＣＰから出力した印刷データに基づいて所望の印刷処理を実行する。したがって、外部機器ＣＰは、印刷装置ＰＵに対して所定の処理を実行させるために操作者が入力操作するためのキーボード・マウス・モニタ等の操作盤を有するものを用いる。
【００１８】
なお、操作手段としての外部機器ＣＰは、パーソナルコンピュータに限定されるものではない。したがって、印刷装置ＰＵにキーボードやモニタ画面等の必要な操作を操作者が実行する操作部を操作手段として一体に設けた一体型であってもよい。また、印刷装置ＰＵと外部機器ＣＰとは、無線又は有線の各種ネットワーク回線（イントラネット・インターネット）の他、例えば、シリアルケーブル等を用いた直接接続の場合を含むものとする。
【００１９】
印刷装置ＰＵの内部には、図２及び図３に示すように、印刷ユニット１を収納している。印刷ユニット１は、使用するインクリボンの幅に応じて、例えば、カセットベース２とカセットホルダ３と、に分離可能となっている。印刷ユニット１は、プラテンローラＱを含む被印刷シート（図４参照）を搬送するため搬送装置４の内部に配置している。
【００２０】
印刷ユニット１は、カセットベース２とカセットホルダ３とを抱き合わせるように組み合わせたうえでカバー１１で覆ったユニット状態でユーザが搬送装置４に対して着脱操作するための把手１２を有する。
【００２１】
図４に示すように、印刷ユニット１は、ロール状のインクリボンＲを装着している。インクリボンＲは、供給側ロールＲＡと巻取側ロールＲＢとを備え、例えば、カセットベース２に設けた供給スプール２１Ａ及び巻取スプール２１Ｂによって供給および巻き取りが可能となっている。インクリボンＲは、カセットベース２に設けた４つのガイド軸２２Ａ〜２２Ｄによって折り返される搬送経路を有する。その搬送経路の中途部には、カセットホルダ３に印字手段としてのサーマルヘッド３１を配置している。サーマルヘッド３１は、搬送装置４に設けたプラテンローラＱとの間に搬送した被印刷シート（以下、単に「シート」若しくは「包材」と称する場合もある。）Ｐにインクを転写する。４つのガイド軸２２Ａ〜２２Ｄのうち、供給側ロールＲＡ及び巻取側ロールＲＢの近傍においてインクリボンＲを鋭角に折り返すようにガイドするガイド軸２２Ａ及びガイド軸２２Ｄには、インクリボンＲを適度に緊張させるテンション機構（図示せず）を配置している。
【００２２】
サーマルヘッド３１はプラテンローラＱに対して接近・退避可能となっており、通常時にはインクリボンＲと非接触となるように退避位置（符号３１Ｂ参照）にあり、印刷時にはインクリボンＲに接触しつつプラテンローラＱに向けてインクリボンＲを押し付ける。このため、カセットホルダ３には、インクリボンＲのガイドバー３２をサーマルヘッド３１の近傍に配置している。ガイドバー３２は、サーマルヘッド３１とガイド軸２２Ｃとの間の搬送経路途中において、サーマルヘッド３１の下死点とガイド軸２２Ｃとの高さ方向の間に位置している。
【００２３】
次に、図２及び図３に戻り、搬送装置４を説明する。搬送装置４は、プラテンローラＱを含む印刷ユニット１を保持する上ホルダ４１Ａを有する。搬送装置４は、プラテンローラＱの左右（図２参照）、すなわち、プラテンローラＱを基準として被印刷シートＰの搬送方向（矢印Ｄ参照）の上流側と下流側とで対称な各３つの搬送ローラ４２Ａ〜４２Ｃ及び搬送ローラ４３Ａ〜４３Ｃを回転可能に保持した下ホルダ４１Ｂを有する。下ホルダ４１Ｂには、上流側の搬送経路中の被印刷シートＰ（ＰＡ）の一部と、下流側の搬送経路中の被印刷シートＰ（ＰＢ）の一部とを折り返すように搬送するとともに、主として上流側の被印刷シートＰを手繰り寄せる手繰り寄せ機構４４を配置している。
【００２４】
手繰り寄せ機構４４は、上流側ローラ４４Ａと下流側ローラ４４Ｂとが移動プレート４４Ｃに保持されている。移動プレート４４Ｃには、ラックギヤ４４Ｄが設けられているとともに、下ホルダ４１Ｂに形成したガイド溝４４Ｅに沿って変位可能となっている。ラックギヤ４４Ｄは、下ホルダ４１Ｂに配置したピニオンギヤ４４Ｆと噛み合っており、ピニオンギヤ４４Ｆの図示反時計回り方向の回転によって移動プレート４４Ｃが強制的に変位する。
【００２５】
移動プレート４４Ｃは、常時は、例えば、上流側と下流側との被印刷シートＰの搬送力の差によって下流側に付勢されている。これにより、図５（Ａ）に示すように、上流側の被印刷シートＰＡが上流側ローラ４４Ａによって手繰り寄せられる。なお、移動プレート４４Ｃの手繰り寄せ方向の付勢又は変位は、バネ等の付勢手段によるものでもよい。
【００２６】
一方、移動プレート４４Ｃは、例えば、被印刷シートＰの搬送速度（以下、単に「包材速度」とも称する。）が予め設定した包材速度を下回ったとき、ピニオンギヤ４４Ｆが図示反時計回り方向に回転して移動プレート４４Ｃを上流側に変位させる。これにより、図５（Ｂ）に示すように、上流側の被印刷シートＰＡが上流側ローラ４４Ａから繰り出される。
【００２７】
このため、搬送装置４は、プラテンローラＱの下流側において包材速度を検出する搬送速度検出センサ４５と、ピニオンギヤ４４Ｆを回転させる繰出モータ４６（図６参照）と、プラテンローラＱを回転させるプラテンモータ４７（図６参照）と、を備えている。
【００２８】
ところで、搬送装置４の上流側と下流側において、被印刷シートＰは、例えば、包装装置（図示せず）によって搬送される。包装装置は、上流側から搬送された被印刷シートＰを最上流側の搬送ローラ４２Ｃに向けてガイドするガイドローラ５１と、最下流側の搬送ローラ４３Ｃから被印刷シートＰの搬送を引き継ぐ搬送駆動ローラ５２及び搬送従動ローラ５３と、被印刷シートＰに予め一定間隔で印刷したアイマークを読み取るマークセンサ５４と、を備える。
【００２９】
＜印刷装置ＰＵの電気的構成＞
図６を参照し、印刷装置ＰＵの電気的構成について説明する。印刷装置ＰＵは印刷ユニット１に制御部７を備える。制御部７は、印刷装置ＰＵの全般を制御するため、例えば、印刷ユニット１に加えて搬送装置４も制御するようになっている。
【００３０】
制御部７は、記憶部７１に記憶した本発明に拘る搬送制御に加えて印刷制御全般にわたるプログラムにしたがって各部を制御する。制御部７は、供給センサ７２、巻取センサ７３、及び、周波数検知センサ７４からの検知信号に基づいて駆動系を制御する。供給センサ７２は、供給側のガイド軸２２Ａの位置に応じた値を示す信号を制御部７に出力する。巻取センサ７３は、巻取側のガイド軸２２Ｄの位置に応じた信号を制御部７に出力する。周波数検知センサ７４は、繰出モータ４６を駆動させるＡＣ電源（商用電源）の周波数を検出する。すなわち、繰出モータ４６を駆動させる電源にＡＣ電源を用いた場合、図７に示すように、電源周波数によって回転速度が異なる。具体的には、繰出モータ４６は、周波数が５０Ｈｚの場合には１５００ｒ／ｍｉｎで回転し、周波数が６０Ｈｚの場合には１６００ｒ／ｍｉｎで回転する。したがって、制御部７によって後述する制御パラメータ（Ｌｉ，Ｌａ）を事前にユーザ入力を受け付けて設定する場合において、電源周波数が異なるにもかかわらず、制御部７が同じタイミングで繰出モータ４６のＯＮ・ＯＦＦを制御してしまうと、所定の位置での印刷を実行することができないという不具合を解消する。なお、日本国内の場合、上述した５０Ｈｚ（東日本地域）と６０Ｈｚ（西日本地域）との２種類に分かれるため、これらに対応したパラメータを２種類設定しておけば、周波数を検知することで何れのパラメータを用いればよいかは容易に決定することができる。
【００３１】
一方、制御部７は、駆動系の制御として、例えば、供給モータ８１、巻取モータ８２、進退モータ８３、の駆動を制御０する。制御部７は、サーマルヘッド（加熱部）３１の加熱温度を制御する。
【００３２】
さらに、制御部７は、搬送速度検出センサ４５で検出した包材速度が所定値以下である場合に、手繰り寄せ機構４４の繰出モータ４６の駆動を制御する。また、プラテンローラＱを駆動させるためのプラテンモータ４７を制御する。なお、搬送装置４は制御部７とは切り離して独立した制御径を構築してもよい。
【００３３】
制御部７は、通信インターフェース７５を介して、外部機器ＣＰに加え、包装装置５とで制御系統を連携している。包装装置５は、通信インターフェース５５、記憶部５６、制御部５７を備える。制御部５７は、記憶部５６に記憶した包装管理プログラムにしたがって搬送駆動ローラ５２を回転させる搬送モータ５８を駆動制御する。また、制御部５７は、マークセンサ５４で検出したマーク位置情報を通信インターフェース５５を経由して印刷ユニット１に転送させる。
【００３４】
記憶部７１は、ＲＯＭ、ＲＡＭ、フラッシュメモリ等の各種記憶媒体を含む。記憶部７１は、制御部７が実行する処理のプログラムを記憶している。記憶部７１には、印刷処理に関する各主駆動制御データ、外部機器ＣＰから受信した印刷データの他、利用可能な複数種類のリボン幅情報、各リボンに応じたリボン幅と供給側ロールＲＡ及び巻取側ロールＲＢのロール径に関する各種テーブルデータ、印刷設定情報、規定回数、インクリボンＲの全長情報、供給初期直径、巻取初期直径、及び、媒体速度、等を記憶する。したがって、記憶部７１に記憶する情報の一部は、例えば、インクリボンＲの使用量などのように更新情報とすることができる。なお、印刷ユニット１に対する制御部７による具体的な制御は公知の印刷技術で良いため、ここではその説明は省略する。
【００３５】
サーマルヘッド３１は、例えば、一列に整列した複数の発熱素子（加熱部）を有するラインサーマルヘッドである。複数の発熱素子（加熱部）のそれぞれは、制御部７から出力される信号に応じて選択的に発熱する。供給モータ８１及び巻取モータ８２は、パルス信号に同期して回転するステッピングモータである。供給モータ８１及び巻取モータ８２として、共通する仕様のモータが使用される。供給モータ８１は、制御部７から出力されるパルス信号に応じて、供給スプール２１Ａを回転させる。巻取モータ８２は、制御部７から出力されるパルス信号に応じて、巻取スプール２１Ｂを回転させる。進退モータ８３は、制御部７から出力されるパルス信号に応じて回転し、サーマルヘッド３１を、印刷位置３１Ａ（図１参照）、印刷待機位置３１Ｂ（図１参照）、及び、非図示の印刷待機位置の間で移動させる。進退モータ８３は、サーマルヘッド３１を印刷位置３１Ａと印刷待機位置３１Ｂとの間を進退動させるだけである場合、例えば、ソレノイド等の直線運動を実行する機構を採用してもよい。
【００３６】
制御部７によって実行されるプログラムは、例えば、外部機器ＣＰから通信Ｉ／Ｆ７５を介してダウンロードされてもよい。制御部７は、通信Ｉ／Ｆ７５を介して外部機器ＣＰから取得したプログラムを、記憶部７１に記憶してもよい。記憶部７１に記憶される各種情報は、外部機器ＣＰを介して変更可能としてもよい。
【００３７】
このような構成において、産業用の印刷装置ＰＵとして、サーマルヘッド３１を用いたサーマルプリンタ（ＴＴＯ）では、例えば、被印刷シートＰにインクリボンＲにて賞味期限やバーコードなどの印刷を行うため、印刷不良、特に被印刷シートＰに対する印刷位置ができるだけ正確な位置に印刷するのが望ましい。
【００３８】
すなわち、被印刷シートＰの所定の位置に印刷を実行するためには、アイマークＰｍを基準とする位置合わせに加え、最低速度を下回る包材速度に対して手繰り寄せ機構４４から繰り出す繰出し速度を考慮し、適切な包材速度で被印刷シートＰにインクを転写することが望ましい。
【００３９】
そこで、制御部７は、ユーザによりアイマーク間距離並びにアイマークから印刷位置の距離を設定するだけで、最適な手繰り寄せ機構４４の繰出モータ４６のＯＮ／ＯＦＦタイミングを自動で設定する。
【００４０】
ここで、図８に示すように、制御部７には、以下に示す条件、
Ｌｐ：基準位置（＝繰り出しによる搬送速度のピーク位置）
Ｌｓ：印刷内容の印刷開始位置
Ｌｉ：隣接するアイマーク間距離
Ｌａ：上流側アイマークから印刷開始位置までの距離（上流側距離）
Ｌｂ：印刷開始位置から下流側アイマークまでの距離（下流側距離）
Ｌｔ：印刷可能速度以上の印刷可能期間
ΔＬ：基準位置−印刷開始位置（自動演算可変値）
Ｔｉ：アイマーク検知から繰出モータがＯＮするまでの期間
Ｔｏｎ：繰出モータをＯＮしている駆動期間
Ｔｏｆｆ：繰出モータをＯＦＦしてから被搬送シートを手繰り寄せる期間
を設定する。
【００４１】
アイマーク間距離Ｌｉは予め印刷したアイマークＰｍの距離であるため既知であり、印刷開始位置Ｌｓも指定位置であるため既知である。したがって、Ｌｉ＝Ｌａ＋Ｌｂは固定となる。仮に、基準位置Ｌｐが印刷開始位置Ｌｓと一致している場合、印刷可能速度以下（実際の速度は搬送速度検出センサ４５で検出可能）での包材搬送距離Ｓ１及びＳ２と、加速中における包材搬送距離Ｓ３とを用いることにより上流側距離Ｌａを算出することができる（Ｌａ＝Ｓ１＋Ｓ２＋Ｓ３）。同様に、印刷可能速度以下での包材搬送距離Ｓ４及びＳ６と、減速中における包材搬送距離Ｓ５とを用いることにより下流側距離Ｌｂを算出することができる（Ｌｂ＝Ｓ４＋Ｓ５＋Ｓ６）。なお、Ｓ３及びＳ５は図８に示したグラフ曲線により、事前データとしてパラメータを有している。また、上記以外の条件としては、駆動期間Ｔｏｎは、手繰り機構４によって手繰られる被印刷シートＰの限界位置に到達するまでの時間（固定）と仮に決定する。
【００４２】
したがって、
Ｌａ＜Ｓ２＋Ｓ３
となったとき、駆動期間ＴｏｎをつめてモータをＯＮする。その際、包材速度が印刷可能速度に到達しない場合はエラーを報知する。
【００４３】
Ｌａ＞Ｓ２＋Ｓ３の場合は、
Ｓ１＝Ｖｆ＊Ｔｉ
Ｓ２＝Ｖｆ＊Ｔｏｎ
Ｌａ＝Ｓ１＋Ｓ２＋Ｓ３＝Ｖｆ＊Ｔｉ＋Ｖｆ＊Ｔｏｎ＋Ｓ３  ・・・（１）
となるため、この式（１）から開始期間Ｔｉを導き出す。そして、この開始期間Ｔｉを算出することに寄り、結果的に基準位置Ｌｐの位置をどのタイミングとするか、すなわち、印刷開始位置Ｌｓに対する基準位置Ｌｐとのズレ量（ΔＬ）を算出することができる。
【００４４】
Ｌｂ＜Ｓ４＋Ｓ５の場合は、エラーもしくは駆動期間Ｔｏｎを前倒ししで調整できる場合は調整する。
【００４５】
なお、図９に示すように、印刷開始位置Ｌｓが異なる被印刷シートＰに対しても、上記パラメータを用いることにより、開始期間Ｔｉ及び駆動期間Ｔｏｎを求まることができる。
【００４６】
ユーザーには、被印刷シートＰに予め印刷したアイマークＰｍのうち隣接するアイマーク間距離（Ｌｉ）、アイマークＰｍから印刷開始位置Ｌｓまでの距離（Ｌａ）を設定してもらう。これにより、制御部７は、包材速度（Ｖｆ）をプラテンローラＱの下流側直近に配置した搬送速度検出センサ４５で検出させ、アイマークＰｍの周辺の包材速度がある一定速度以下だった場合、アイマークＰｍの検知から繰出モータ４６を駆動させるまでの開始期間（Ｔｉ）を経過させたうえで、算出した繰出モータ４６のＯＮ期間（駆動期間Ｔｏｎ）だけ繰出モータ４６を駆動させることで手繰り寄せた被印刷シートＰを繰り出すようにしたものである。このように、検知した包材速度と事前に決定した繰出モータ４６のＯＮ期間を設定するだけで、適切な包材速度で被印刷シートＰにインクを転写させることが可能となる。
【００４７】
印刷装置ＰＵは、被印刷シートＰを製品に貼り付けるラベル等として印刷する装置となっており、印刷からラベル貼り付けまでを一連のラインとする包装装置５の中途部に配置している。
【００４８】
ここで、印刷装置ＰＵによって印刷した被印刷シートＰをラベルとして包装装置５によって製品に付ける必要があるため、通常は包材速度は、遅い速度に設定している。しかしながら、熱転写方式のサーマルプリンタの特性として、包材速度が一定の速度以下となってしまうと良好な品質の印刷結果を得ることができない。
【００４９】
したがって、実際のラインでは包材速度は遅くする必要があることに加え、逆に印刷時にはー定速度以上に包材速度を上げる必要がある。これを実現するために、搬送装置４では、印刷タイミングの直前で、被印刷シートＰを手繰り寄せ機構４４によりプラテンローラＱよりも上流側で被印刷シートＰの一部を手繰り寄せている。これにより、手繰り寄せた被印刷シートＰを繰り出すことにより一時的に被印刷シートＰの搬送を速くして、印刷を可能にしている。
【００５０】
なお、実際の印刷時には、所定の速度以上の包材速度を確保した印刷可能領域で行われるが、その包材速度はインクリボンＲの搬送速度（以下、単に「リボン速度」とも称する。）とで同期をとる必要がある。したがって、品質の良好な印刷結果を得るために、インクリボンＲがスルーアップしている領域では、印刷を行わないようにする。すなわち、印刷間始点は、手繰り寄せ機構４４で手繰り寄せた被印刷シートＰの速度が増して頂点（ピーク速度）に達した時点でインクリボンＲが駆動し始めるため（印刷中だけインクリボンＲは駆動する）、その点からさらにインクリボンＲがスルーアップする幅分だけ過ぎた時点が、印刷間始点になる。
【００５１】
また、速度の頂点に達したときには、被印刷シートＰの繰り出しは停止して再び次の繰り出しのために手繰り寄せを開始しているため、被印刷シートＰの搬送速度は通常速度で引っ張られるように下降する。したがって、ピーク速度に達してから印刷が可能な一定の速度を超えない（下回らない）時点までに印刷は完了させる必要がある。なお、印刷の搬送方向に沿う幅が狭い（被印刷シートＰを繰り出し、一定の速度以上になった時点から速度の頂点までの幅より狭い）場合には、被印刷シートＰが一定の速度に達した時点から印刷を行っても良い。ただし、その際には、インクリボンＲは既に搬送を開始している必要がある。
【００５２】
次に、制御部７による制御ルーチンの一例を図１０に基づいて説明する。上述したように、搬送装置４は、サーマルヘッド３１と対向して搬送中の被印刷シートＰをサーマルヘッド３１に当接させる当接手段としてのプラテンローラＱと、プラテンローラＱよりも上流側の被印刷シートＰ及びプラテンローラＱよりも下流側の被印刷シートＰのうち少なくとも上流側の被印刷シートＰに対してテンションを付与しつつ手繰り寄せる手繰り寄せ手段としての手繰り寄せ機構４４と、プラテンローラＱよりも上流側かつ手繰り寄せ手段よりも下流側における被印刷シートＰの搬送速度を検出する搬送速度検出センサ４５と、搬送速度検出センサ４５が予め設定した閾値（サーマル機能の限界低速度）以下の速度で被印刷シートＰを搬送していることを検出したときに手繰り寄せ機構４４による手繰り寄せを解除して手繰り寄せた上流側の被印刷シートＰを繰り出す繰出手段としての繰出モータ４６と、閾値以下となったときに繰出モータ４６を駆動させる制御部７と、被印刷シートＰに予め一定間隔で付与した印刷タイミング検出用マークの位置を検出するタイミング検出手段としてのマークセンサ５４と、印刷タイミング検出用マークからの搬送距離が規定された印刷開始位置Ｌｓを基準として、搬送速度検出センサ４５で検出した搬送速度Ｖｆに応じて、マークセンサ５４によって印刷タイミング検出用マークを検出してから繰出モータ４６の駆動を開始するまでの開始期間Ｔｉと、繰出モータ４６を駆動させている駆動期間Ｔｏｎと、を決定する制御部７と、を備える。
【００５３】
（ステップＳ１）
ステップＳ１において、制御部７は、ユーザによるアイマーク間距離Ｌｉ及び距離Ｌａの入力を受け付け、その入力結果を記憶部７１に記憶する条件イニシャライズを行い、ステップＳ２へと移行する。
【００５４】
（ステップＳ２）
ステップＳ２において、制御部７は、被印刷シートＰの搬送中において、マークセンサ５４がアイマークＰｍを検知したか否かを判定する。制御部７は、マークセンサ５４がアイマークＰｍを検知したと判定した場合（Ｙｅｓ）には、ステップＳ３へと移行する。制御部７は、マークセンサ５４がアイマークＰｍを検知したと判定しなかった場合（Ｎｏ）には、マークセンサ５４がアイマークＰｍを検知するまで、引き続きこのルーチンを実行する。したがって、このステップＳ２及びマークセンサ５４がタイミング検出手段として機能する。
【００５５】
（ステップＳ３）
ステップＳ３において、制御部７は、搬送速度検出センサ４５で検出した速度信号に基づいて、現在の包材速度が予め設定（サーマルヘッド３１の機能等に応じる）した閾値である所定速度を下回ったか否かを判定する。制御部７は、包材速度が所定速度以下であると判定した場合（Ｙｅｓ）には、ステップＳ４へと移行する。制御部７は、包材速度が所定速度以下であると判定しなかった場合（Ｎｏ）には、このままステップＳ９に移行して印刷を開始（継続）する。したがって、このステップＳ３及び搬送速度検出センサ４５が搬送速度検出手段として機能する。
【００５６】
（ステップＳ４）
ステップＳ４において、制御部７は、繰出モータ４６の制御値（Ｔｉ，Ｔｏｎ）を上記式（１）等を用いて算出し、ステップＳ５へと移行する。すなわち、このステップＳ５において、制御部７は、印刷タイミング検出用マークからの搬送距離が規定された印刷開始位置Ｌｓを基準として、搬送速度検出センサ４５で検出した搬送速度Ｖｆに応じて、マークセンサ５４によって印刷タイミング検出用マークを検出してから繰出モータ４６の駆動を開始するまでの開始期間Ｔｉと、繰出モータ４６を駆動させている駆動期間Ｔｏｎと、を決定する。
【００５７】
（ステップＳ５）
ステップＳ５において、制御部７は、ステップＳ４で決定した開始期間Ｔｉが経過したか否かを判定する。制御部７は、開始期間Ｔｉが経過したと判定した場合（Ｙｅｓ）には、ステップＳ６へと移行する。制御部７は、開始期間Ｔｉが経過したと判定しなかった場合（Ｎｏ）には、開始期間Ｔｉが経過するまで、引き続きこのルーチンを実行する。
【００５８】
（ステップＳ６）
ステップＳ６において、制御部７は、繰出モータ４６をＯＮして手繰り寄せ機構４４で手繰り寄せた被印刷シートＰの一部の繰出しを開始し、ステップＳ７へと移行する。
【００５９】
（ステップＳ７）
ステップＳ７において、制御部７は、ステップＳ４で決定した駆動期間Ｔｏｎが経過したか否かを判定する。制御部７は、駆動期間Ｔｏｎが経過したと判定した場合（Ｙｅｓ）には、ステップＳ８へと移行する。制御部７は、駆動期間Ｔｏｎが経過したと判定しなかった場合（Ｎｏ）には、駆動期間Ｔｏｎが経過するまで、引き続きこのルーチンを実行する。
【００６０】
（ステップＳ８）
ステップＳ８において、制御部７は、繰出モータ４６をＯＦＦしてこのルーチンを終了し、再び、次のアイマークＰｍを検知するまでステップＳ２のルーチンを監視する。
【００６１】
このように、搬送装置４は、通常時において、プラテンローラＱよりも上流側の被印刷シートＰ及びプラテンローラＱよりも下流側の被印刷シートＰのうち少なくとも上流側の被印刷シートＰを、手繰り寄せ機構４４がテンションを付与しつつ手繰り寄せている。
【００６２】
プラテンローラＱよりも上流側かつ手繰り寄せ機構４４よりも下流側における被印刷シートＰの搬送速度が、予め設定した閾値以下の搬送速度となったことを搬送速度検出センサ４５が検出すると、制御部７が繰出モータ４６を制御して、手繰り寄せ機構４４による手繰り寄せを解除しつつ手繰り寄せた上流側の被印刷シートＰを繰り出し、被印刷シートＰの搬送速度を早くする。
【００６３】
この際、被印刷シートＰに予め一定間隔で付与した印刷タイミング検出用マークの位置をマークセンサ５４が検出してから被印刷シートＰの搬送距離が規定された印刷開始位置を基準として、搬送速度検出センサ４５で検出した搬送速度Ｖｆに応じて、マークセンサ５４によって印刷タイミング検出用マークを検出してから制御部７によって繰出モータ４６の駆動を開始するまでの開始期間Ｔｉと、繰出モータ４６を駆動させている駆動期間Ｔｏｎと、を制御部７が決定する。
【００６４】
これにより、被印刷シートＰの搬送速度に応じた分だけ手繰り寄せた被印刷シートＰを繰り出して印刷タイミング検出用マークから所定の搬送距離だけ搬送した被印刷シートＰに対して適切な搬送速度で被印刷シートＰにインクを転写することが可能となる。
【００６５】
この際、制御部７は、駆動期間Ｔｏｎから手繰り寄せ機構４４によって被印刷シートＰを手繰り寄せる手繰り寄せ期間Ｔｏｆｆに至る期間中に、閾値以上の搬送速度で印刷シートを搬送する印刷可能期間を確保するとともに、印刷可能期間内に印刷手段の転写に伴う被印刷シートＰに対する搬送方向に沿う印刷期間を含むよう、駆動期間Ｔｏｎを決定することにより、搬送速度が閾値以下となっても、確実な印刷を実行することができる。
【００６６】
また、制御部７は、駆動期間Ｔｏｎを、手繰り寄せ機構４４によって被印刷シートＰを手繰り寄せる手繰り寄せ期間Ｔｏｆｆよりも短い期間に決定することにより、繰り出し長さを手繰り寄せ長さよりも短くすることができ、手繰り寄せていない被印刷シートＰを繰り出そうとする誤作動を防止することができる。
【００６７】
さらに、制御部７は、繰出モータ４６によって繰出した上流側の被印刷シートＰの搬送速度の最速ピーク位置が、被印刷シートＰに対する所定の搬送距離（印刷開始位置）よりも上流側に位置するように、開始期間Ｔｉと駆動期間Ｔｏｎとを決定することにより、被印刷シートＰの搬送速度が最速に達した後に印刷を実行することができる。
【００６８】
また、商用電源（ＡＣ電源）で駆動する繰出モータ４６を駆動させるためのＡＣ電源の周波数を検知し、検知した周波数に応じて決定した開始期間Ｔｉと駆動期間Ｔｏｎとを変更するように、パラメータを複数種類設定しておくことにより、ＡＣ電源の周波数が変わっても適切な搬送速度を確保することができる。
【００６９】
なお、以上の説明において、「垂直」「平行」「平面」「水平」等の記載がある場合には、当該記載は厳密な意味ではない。すなわち、それら「垂直」「平行」「平面」「水平」とは、設計上、製造上の公差、誤差が許容され、「実質的に垂直」「実質的に平行」「実質的に平面」「実質的に水平」という意味である。
【００７０】
また、以上の説明において、外観上の寸法や大きさや速度が「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００７１】
なお、以上において、図６の図中に示す矢印は信号の流れの一例を示すものであり、信号の流れ方向を限定するものではない。
【００７２】
また、図１０に示すフローチャートは本発明を上記フローに示す手順に限定するものではなく、発明の趣旨及び技術的思想を逸脱しない範囲内で手順の追加・削除又は順番の変更等をしてもよい。
【００７３】
また、以上既に述べた以外にも、上記実施形態や各変形例による手法を適宜組み合わせて利用しても良い。
【００７４】
その他、一々例示はしないが、本発明は、その趣旨を逸脱しない範囲内において、種々の変更が加えられて実施されるものである。
【符号の説明】
【００７５】
１      印刷装置
４      搬送装置
７      制御部（駆動制御手段・決定手段）
３１      サーマルヘッド（転写手段）
４４      手繰り寄せ機構（手繰り寄せ手段）
４５      搬送速度検出センサ（搬送速度検出手段）
４６      繰出モータ（繰出手段）
５４      マークセンサ（タイミング検出手段）
Ｐ      被印刷シート
Ｐｍ      アイマーク（印刷タイミング検出用マーク）
Ｑ      プラテンローラ（当接手段）
【図１】
2018167503.tif 000003
【図２】
2018167503.tif 000004
【図３】
2018167503.tif 000005
【図４】
2018167503.tif 000006
【図５】
2018167503.tif 000007
【図６】
2018167503.tif 000008
【図７】
2018167503.tif 000009
【図８】
2018167503.tif 000010
【図９】
2018167503.tif 000011
【図１０】
2018167503.tif 000012